(57)【要約】【課題】自然放射性元素の放射エネルギーを利用した燃焼効率の向上と排気ガス浄化を実現できる発電システムを構築する。【解決手段】化石燃料を使用する発電システムにおける燃焼装置の燃焼に必要な供給燃料と吸入空気に、α線を０．６ベクレル／ｇ以上放出する自然放射性元素のα崩壊による放射線照射と、同時に生成される中性子照射を行い、吸入空気に含まれる酸素を活性酸素に変換させて、吸入空気と供給燃料を完全燃焼させる燃料活性化装置５と給気活性化装置２および中性子エネルギー照射装置３を設置する。また、蒸気発生器への給水に対しても、曝気装置を備えた給水活性化装置９を設置し、燃焼装置からの排気ガスに対しても曝気装置を備えた排気ガス浄化装置７を設置する。【選択図】　　　　図１
2004003830.tif 000002
【特許請求の範囲】
【請求項１】
発電システムにおけるα崩壊による放射エネルギーの利用装置であって、
化石燃料を燃焼させる装置に空気を送り込む給気活性化装置（２）として、α崩壊性の自然放射性元素を１００ｐｐｍ／ｇ〜１ｇ／ｇ含有する鉱石を粒状もしくは粉状にしたものを凝固剤で固めて成形加工したセラミック・ボール（２０）を分散配置したものを用い、
この装置（２）内に給気ファン（１）から送り込まれてセラミック・ボール（２０）に接触させた空気を燃焼装置を構成するボイラ燃焼室（１０）へ送り込むように構成し、
装置（２）内の空気はセラミック・ボール（２０）による自然放射性元素のα崩壊による放射エネルギー照射と同時に生成される中性子照射をあびるとともに、空気に含まれる酸素が、活性酸素に変換され、この活性化された空気が燃料の燃焼効率を向上させるようにしたことを特徴とする発電システムにおけるα崩壊による放射エネルギーの利用装置。
【請求項２】
前記燃焼装置を構成するボイラ燃焼室（１０）へ燃料を供給する経路に燃料活性化装置（５）として、メッシュ状の複数段の棚（２１）の上に前記セラミック・ボール（２０）と同様のボール（２０Ａ）を分散配置し、これらのボール（２０Ａ）に接触させられる燃料はボール（２０Ａ）による自然放射性元素のα崩壊による放射エネルギー照射と同時に生成される中性子照射をあびるとともに、燃料が活性化されて燃焼効率を向上させるようにしたことを特徴とする請求項１に記載の発電システムにおけるα崩壊による放射エネルギーの利用装置。
【請求項３】
前記給気活性化装置（２）での出口側の分流点（Ｅ）に中性子エネルギー照射装置（３）を設置し、この装置（３）として、メッシュ状の複数段の棚（２１）の上にα崩壊性の自然放射性元素を１００ｐｐｍ／ｇ〜１ｇ／ｇ含有する鉱石とベリリウムを含んだ鉱石とから成るセラミック・ボール（２０Ｂ）を分散配置したものを用い、この装置（３）内に前記装置（２）から送り込まれてセラミック・ボール（２０Ｂ）に接触させた空気を燃焼装置を構成するボイラ燃焼室（１０）へ送り込むことを特徴とする請求項１又は２に記載の発電システムにおけるα崩壊による放射エネルギーの利用装置。
【請求項４】
前記給気活性化装置（２）に曝気装置（２６）を接続し、この曝気装置（２６）内にも前記セラミック・ボール（２０）と同様のボール（２０Ｃ）を分散配置し、これらのボール（２０Ｃ）に接触した曝気用空気が装置（２）内へ送り込まれて給気ファン（１）により送り込まれた空気と混合されることを特徴とする請求項１ないし３のいずれか１項に記載の発電システムにおけるα崩壊による放射エネルギーの利用装置。
【請求項５】
前記給気活性化装置（２）の出口における空気を分流して曝気装置（２６）へ戻すことを特徴とする請求項４に記載の発電システムにおけるα崩壊による放射エネルギーの利用装置。
【請求項６】
発電システムにおけるα崩壊による放射エネルギーの利用装置であって、
化石燃料を燃焼させる装置の排気ガス系統に排気ガス浄化装置（７）を設置し、
この装置（７）として、α崩壊性の自然放射性元素を１００ｐｐｍ／ｇ〜１ｇ／ｇ含有する鉱石を粒状もしくは粉状にしたものを凝固剤で固めて成形加工したセラミック・ボール（２０Ｄ）を分散配置したものを用い、
この装置（７）内に排気ファン（６）を介して排出される排気ガスをセラミック・ボール（２０Ｄ）に接触させるように構成し、
前記装置（７）の排気ガスはセラミック・ボール（２０Ｄ）による自然放射性元素のα崩壊による放射エネルギー照射と同時に生成される中性子照射をあびて浄化されることを特徴とする発電システムにおけるα崩壊による放射エネルギーの利用装置。
【請求項７】
前記排気ガスを浄化装置（７）に曝気装置（２６）を接続し、この曝気装置（２６）内にも前記セラミック・ボール（２０Ｄ）と同様のボール（２０Ｅ）を分散配置し、これらのボール（２０Ｅ）に接触した曝気用空気が装置（７）内へ送り込まれて排気ファン（６）を介して排気されてきた排気ガスと混合されることを特徴とする請求項６に記載の発電システムにおけるα崩壊による放射エネルギーの利用装置。
【請求項８】
前記排気ガス浄化装置（７）の出口における排気ガスを分流して曝気装置（２６）へ戻すことを特徴とする請求項７に記載の発電システムにおけるα崩壊による放射エネルギーの利用装置。
【請求項９】
発電システムにおけるα崩壊による放射エネルギーの利用装置であって、
化石燃料を燃焼させる装置に蒸気室（１１）を設置するとともに、この蒸気室（１１）へ給水して蒸気（１２）を発生させ、この蒸気（１２）で蒸気タービン（１３）を作動させて発電させるように構成し、
前記蒸気室（１１）への給水系統に給水活性化装置（９）を設置し、この給水活性化装置（９）としてα崩壊性の自然放射性元素を１００ｐｐｍ／ｇ〜１ｇ／ｇ含有する鉱石を粒状もしくは粉状にしたものを凝固剤で固めて成形加工したセラミック・ボール（２０Ｆ）を分散配置したものを用い、
この装置（９）内に給水ポンプ（８）から送り込まれてセラミック・ボール（２０Ｆ）に接触させた水を蒸気室（１１）へ送り込むように構成し、
装置（９）内の空気はセラミック・ボール（２０Ｆ）による自然放射性元素のα崩壊による放射エネルギー照射と同時に生成される中性子照射をあびて活性化されることを特徴とする発電システムにおけるα崩壊による放射エネルギーの利用装置。
【請求項１０】
前記給水活性化装置（９）に曝気装置（２６）を接続し、この曝気装置（２６）内にも前記セラミック・ボール（２０Ｆ）と同様のボール（２０Ｇ）を分散配置し、これらのボール（２０Ｇ）に接触した曝気用空気が装置（９）内へ送り込まれて給水ポンプ（８）から送り込まれた水と混合することを特徴とする請求項９に記載の発電システムにおけるα崩壊による放射エネルギーの利用装置。
【請求項１１】
請求項１記載の利用装置に請求項６に記載の排気ガス浄化装置（７）又は／及び請求項９に記載の蒸気室（１１）と給水活性化装置（９）を付加したことを特徴とする発電システムにおけるα崩壊による放射エネルギーの利用装置。
【請求項１２】
前記セラミック・ボールが収納される各装置（２），（３），（５），（９）のすべてを厚さ１００ｍｍ程度の鉛製の箱内に収納したことを特徴とする請求項１ないし１１のいずれか１項に記載の発電システムにおけるα崩壊による放射エネルギーの利用装置。
【発明の詳細な説明】
【０００１】
【発明の属する技術分野】
本発明は、自然放射性元素のα崩壊による放射エネルギーを利用して、化石燃料を使用する発電システムにおける燃焼効率の向上と排気ガス浄化を図る装置に関する。
【０００２】
【従来の技術】
石炭や石油系燃料を使用する発電システムにおいては、超臨界圧ボイラの採用・単機容量の大型化等によって発電効率の向上を図ると共に、電気的集塵装置、排煙脱硫・脱硝装置等の設置により排気ガスの浄化を行っている。
【０００３】
また、液化天然ガス（ＬＮＧ）を使用する高効率の大型ガスタービンとその高温排熱を回収する蒸気タービンとの複合サイクル発電システムは、クリーンな天然ガスを燃焼させるものであるから総合発電効率は５０％前後にもなり排気ガスもクリーンであるが、排出されるＣＯ２やＮＯＸは膨大な量になる。
【０００４】
【発明が解決しようとする課題】
従来方式の発電システムにおける排気ガス浄化手段や燃焼改善対策は、複数の手段を組み合わせると共に大型化を図ることによって目的を達成しているが、ＬＮＧの使用については利用可能地域やＬＮＧ消費量等に関する制限もあり、中小容量の発電システムには適用できず、ＮＯＸやＣＯ２の排出量も多い。最近マイクロ・ガスタービンの技術的進歩に伴い、ＬＮＧを燃料として発電すると同時に排気ガス回収ボイラーによる地域冷暖房を行う発電システムも開発されているが、排気ガスによる環境汚染の防止対策は不充分である。
【０００５】
本願発明は、上述した従来技術の問題点を解消するためになされたものであって、超大型化を必要としない発電システムに対応でき、低コストと排気ガス浄化を図れるばかりでなく、化石燃料の完全燃焼による燃焼効率の向上を図ることのできる環境対策に優れた発電システムにおけるα崩壊による放射エネルギーの利用装置を提供しようとするものである。
【０００６】
【課題を解決するための手段】
上述の目的を達成するため、本発明は、発電システムにおけるα崩壊による放射エネルギーの利用装置であって、化石燃料を燃焼させる装置に空気を送り込む給気活性化装置として、α崩壊性の自然放射性元素を１００ｐｐｍ／ｇ〜１ｇ／ｇ含有する鉱石を粒状もしくは粉状にしたものを凝固剤で固めて成形加工したセラミック・ボールを分散配置したものを用い、この装置内に給気ファンから送り込まれてセラミック・ボールに接触させた空気を燃焼装置を構成するボイラ燃焼室へ送り込むように構成し、装置内の空気はセラミック・ボールによる自然放射性元素のα崩壊による放射エネルギー照射と同時に生成される中性子照射をあびるとともに、空気に含まれる酸素が、活性酸素に変換され、この活性化された空気が燃料の燃焼効率を向上させるようにしたものである。
【０００７】
また、発電システムにおけるα崩壊による放射エネルギーの利用装置であって、化石燃料を燃焼させる装置の排気ガス系統に排気ガス浄化装置を設置し、この装置として、α崩壊性の自然放射性元素を１００ｐｐｍ／ｇ〜１ｇ／ｇ含有する鉱石を粒状もしくは粉状にしたものを凝固剤で固めて成形加工したセラミック・ボールを分散配置したものを用い、この装置内に排気ファンを介して排出される排気ガスをセラミック・ボールに接触させるように構成し、前記装置の排気ガスはセラミック・ボールによる自然放射性元素のα崩壊による放射エネルギー照射と同時に生成される中性子照射をあびて浄化されるものである。
【０００８】
さらに、発電システムにおけるα崩壊による放射エネルギーの利用装置であって、化石燃料を燃焼させる装置に蒸気室を設置するとともに、この蒸気室へ給水して蒸気を発生させ、この蒸気で蒸気タービンを作動させて発電させるように構成し、前記蒸気室への給水系統に給水活性化装置を設置し、この給水活性化装置としてα崩壊性の自然放射性元素を１００ｐｐｍ／ｇ〜１ｇ／ｇ含有する鉱石を粒状もしくは粉状にしたものを凝固剤で固めて成形加工したセラミック・ボールを分散配置したものを用い、この装置内に給水ポンプから送り込まれてセラミック・ボールに接触させた水を蒸気室へ送り込むように構成し、装置内の空気はセラミック・ボールによる自然放射性元素のα崩壊による放射エネルギー照射と同時に生成される中性子照射をあびて活性化されるものである。
【０００９】
【発明の実施の形態】
本発明の好適な実施例を図面を参照しながら説明する。図１は、本発明に係る発電システムの全体構成を示すブロック図である。燃焼装置を構成するボイラ燃焼室１０には燃料ポンプ４を介して燃料が供給され、給気ファン１を介して燃焼用空気が供給される。ボイラ燃焼室１０における燃焼により発生する排気ガスは排気ファン６を介して排出される。また、ボイラ燃焼室１０に設けた蒸気室１１には給水ポンプ８を介して水が供給され、ボイラ燃焼室１０における燃焼によって生成された蒸気１２により蒸気タービン１３を回転駆動させ、主軸１５に連結してある発電機１４を駆動させ、電力を発生させる。
【００１０】
燃焼装置（ボイラ燃焼室１０）の給気系統におけるＡ点には、図２に示す給気活性化装置２が設置してあり、燃料供給系統におけるＢ点には、図３に示す燃料活性化装置５が設置してある。また、蒸気室１１へ給水を供給する給水系統におけるＣ点には、図５に示す給水活性化装置９が設置してあり、排気ガス系統のＤ点には、図４に示す排気ガス浄化装置７が設置してある。さらに、給気系統における分流点Ｅには、図６に示す中性子エネルギー照射装置３が設置してある。
【００１１】
前記給気系統に設置した給気活性化装置２は、図２に示すように、ハウジング２５の内部にセラミック・ボール２０を分散配置したメッシュ状の棚２１が複数段設置してあり、夫々の棚２１の下面には曝気孔を備えた曝気パイプ２２が取り付けてある。このセラミック・ボール２０は、自然放射性元素を含んだ物質であり、粒状もしくは粉状の鉱石を凝固剤で固めて成形加工した直径が約１００ｍｍの球状のセラミックである。このセラミックを構成する鉱石の組成は、α崩壊性の自然放射性元素を１００ｐｐｍ／ｇ〜１ｇ／ｇ（１００％）含有したものであって、その放射線量の範囲は０．６ベクレル／ｇ以上である。
【００１２】
また、この給気活性化装置２には曝気装置２６を接続してある。装置２とは曝気装置２６との間に曝気用吸気ファン２４を設けてある。この曝気装置２６へ流入する曝気用空気は、曝気用給気ファン２４によって吸引される途中でセラミック・ボール２０Ｃと接触してα崩壊による放射エネルギーを受ける。曝気用給気ファン２４から給気活性化装置２に吸入された曝気用空気は、曝気用主管２３から分岐した曝気パイプ２２へ分流し、夫々の曝気孔から噴出する。前記装置２の入口から流入した給気は、メッシュ状の棚２１に分散配置してあるセラミック・ボール２０と接触しながら下方へ流下するが、この際に曝気パイプ２２から噴出する曝気用空気と混合する。図２において、ハウジング２５の出口から排出される活性化された空気を分流して曝気装置２６の入口へ戻して循環させるようにしてもよい。
【００１３】
前記給気活性化装置２及び曝気装置２６を夫々通過する空気は、セラミック・ボール２０，２０Ｃにより自然放射性元素のα崩壊による放射エネルギー照射と、同時に生成される中性子照射とをあびて、空気中の酸素は活性酸素に変換され、この活性化された空気が燃料の燃焼効率を向上させる。
【００１４】
燃料活性化装置５の概略構成は図３に示す通りであって、燃料ポンプ４によって前記装置５の入口から流入した燃料は、メッシュ状の棚２１の上に分散配置してあるセラミック・ボール２０Ａと接触しながら流下し、複数段の棚２１の上に配置してあるセラミック・ボール２０Ａとの接触を介して前記装置５の出口からボイラ燃焼室１０へ供給される。前記装置５内における燃料は、多数のセラミック・ボール２０Ａと繰り返し接触しながら流下するので、この間にα崩壊による放射エネルギー照射と中性子照射を受け、活性化される。
【００１５】
前記排気ガス浄化装置７は、給水活性化装置８は、前記給気活性化装置２と同一構成である。すなわち、装置７は、ハウジング２５の内部にセラミック・ボール２０Ｄを分散配置したメッシュ状の棚２１が複数段設置してあり、夫々の棚２１の下面には曝気孔を備えた曝気パイプ２２が取り付けてある（図４参照）。このセラミック・ボール２０Ｄも前記セラミック・ボール２０と同一のものである。また、給水活性化装置９もハウジング２５の内部にセラミック・ボール２０Ｆを分散配置したメッシュ状の棚２１が複数段設置してあり、夫々の棚２１の下面には曝気孔を備えた曝気パイプ２２が取り付けてある（図５参照）。また、このセラミック・ボール２０Ｆも前記セラミック・ボール２０と同一のものである。
【００１６】
前記排気ガス浄化装置７と給水活性化装置９には、夫々前述したと同様の曝気装置２６が接続されている（図４及び図５参照）。排気ガス浄化装置７に接続される曝気装置２６ではセラミック・ボール２０Ｅ、給水活性化装置９に接続される曝気装置２６ではセラミック・ボール２０Ｇを収納するが、これらのセラミック・ボール２０Ｅ，２０Ｇも前記セラミック・ボール２０と同一構成である。また、曝気装置２６に流入される空気は、装置７から排出されたガスを分流したものであってもよい。
【００１７】
前記給気活性化装置２からボイラ燃焼室１０へ供給される給気は、装置２に内蔵してあるセラミック・ボール２０からの放射エネルギー照射と中性子照射を受けた装置２に流入した給気と、曝気パイプから供給される曝気装置２６に内蔵のセラミック・ボール２０Ｃからの放射エネルギー照射と中性子照射を受けた曝気用空気との混合気となる。なお、給気活性化装置２の出口から流出する給気の一部を分流して曝気用空気として再循環させると、給気は著しく活性化される。排気ガス浄化装置７にも曝気装置２６を設置してあるので、排気ガスの再循環によって給気活性化装置２と同様な効果を期待できる。
【００１８】
給気活性化装置２の出口側の分流点Ｅに設置する中性子エネルギー照射装置３の概略構成は、図６に示す通りである。給気活性化装置２の出口から流入した活性化された給気は、メッシュ状の棚２１に分散配置してあるセラミック・ボール２０Ｂと接触しながら下方に流下する。セラミック・ボール２０Ｂは、自然放射性元素１００ｐｐｍ／ｇ以上を含んだ鉱石とベリリウムを含んだ鉱石とを混合したものを直径が約１００ｍｍの球形に成形加工したセラミックであって、自然放射性元素のα崩壊による放射エネルギー照射を受けたベリリウムからは中性子エネルギーが放射される。従って、セラミック・ボール２０Ｂと接触する流入給気は中性子エネルギーの照射を受け活性化される。なお、中性子エネルギー照射装置３の出口は給気活性化装置２の入口と接続してあって、給気を還流させることによって活性化を促進させている。
【００１９】
次に、自然放射性元素のα崩壊による放射エネルギーの空気に対する反応機構について説明する。自然放射性元素は、放射エネルギーであるα線、β線、γ線を放出しながら次々と他の元素に変換されていき、最後に鉛となって安定する元素である。空気にα崩壊による放射線照射が行われると、空気中の二原子酸素は一電子還元を受け、酸化力の強い活性酸素になる。
【００２０】
【化１】
2004003830.tif 000003
【００２１】
また、空気中には約２１％の酸素と約７８％の窒素が含まれているが、原子量１４の窒素原子はα線照射によって反応性に富んだ原子量１７の酸素原子と原子量１の水素原子に分裂変換される。
【００２２】
【化２】
2004003830.tif 000004
【００２３】
この際、微量の中性子も放出され、原子量１４の窒素原子は中性子照射によって、原子量１４の炭素原子と原子量１の水素原子に分裂変換される。
【００２４】
【化３】
2004003830.tif 000005
窒素の原子核変換によって生成された一原子酸素
【化４】
2004003830.tif 000006
は一酸化炭素（ＣＯ）と反応して炭酸ガスとなる。
ＣＯ　＋　Ｏ　→　　ＣＯ２
換言すると完全燃焼する。
【００２５】
また、活性一原子水素
【化５】
2004003830.tif 000007
は炭素と結合しやすいので、炭化水素（ＨＣ）に対して反応し、
ＨＣ＋３Ｈ　→　ＣＨ４
メタンを生成する。これに、空気中の活性酸素
【化６】
2004003830.tif 000008
が反応し、完全燃焼する。即ち、不完全燃焼で生成された炭化水素（ＨＣ）が一原子水素の関与により炭化水素（ＣｎＨｍ）となり、燃料として再度燃焼する。
【００２６】
給気活性化装置２の出口側に設置する中性子エネルギー照射装置３に分散配置してあるセラミック・ボール２０Ｂは、自然放射性元素とベリリウムとを混合したものであって、中性子エネルギーが放出される。その核反応式は次の通りである。
【００２７】
【化７】
2004003830.tif 000009
【００２８】
さらに、放出された中性子エネルギーの照射を受けた空気中の原子量１４の窒素原子は、原子量１４の炭素原子と原子量１の水素原子に分裂変換される。
【００２９】
【化８】
2004003830.tif 000010
【００３０】
空気取入口以降の炭化水素の燃焼反応は、
2004003830.tif 000011
となる。
空気中の各元素は興奮状態にあって強力な酸化反応を呈しており、また、強力な酸化反応を示す活性酸素を利用するものであるから不完全燃焼を防ぎ、燃焼装置の燃焼効率を向上させる。
【００３１】
上述した各種活性化装置２，５，９には、α崩壊性の自然放射性元素１００ｐｐｍ／ｇ〜１ｇ／ｇ（１００％）含有したセラミック・ボール２０を多数収納してあって、放出される放射線量は０．６ベクレル／ｇ以上である。従って、α崩壊に伴う放射エネルギー照射や中性子エネルギー照射から人体を防護するためには、厚さ１００ｍｍ程度の鉛製の箱内に装置を完全に収納することが肝要である。また、中性子エネルギーを放出する中性子エネルギー照射装置３に対しても上述した防護対策を講ずる。なお、上述した各種活性化装置を複数段設けると共に、再循環回路を設定することによって活性化による効果をより向上させることができる。
【００３２】
【発明の効果】
以上説明したように、発電システムにおけるα崩壊による放射エネルギーの利用装置であって、化石燃料を燃焼させる装置に空気を送り込む給気活性化装置として、α崩壊性の自然放射性元素を１００ｐｐｍ／ｇ〜１ｇ／ｇ含有する鉱石を粒状もしくは粉状にしたものを凝固剤で固めて成形加工したセラミック・ボールを分散配置したものを用い、この装置内に給気ファンから送り込まれてセラミック・ボールに接触させた空気を燃焼装置へ送り込むように構成し、装置内の空気はセラミック・ボールによる自然放射性元素のα崩壊による放射エネルギー照射と同時に生成される中性子照射をあびるとともに、空気に含まれる酸素が、活性酸素に変換され、この活性化された空気が燃料の燃焼効率を向上させるようにしたので、自然放射性元素のα崩壊により、空気中の二原子酸素は酸化力の強い活性酸素になると共に、空気中の窒素は一原子酸素と一原子水素に分裂変換されて空気中の酸素濃度が増加し、さらに、中性子照射によって空気中の窒素の一部は一原子炭素と一原子水素に分裂変換される。
【００３３】
また、前記燃焼装置へ燃料を供給する経路に燃料活性化装置として、メッシュ状の複数段の棚の上に前記セラミック・ボールと同様のボールを分散配置し、これらのボールに接触させられる燃料はボールによる自然放射性元素のα崩壊による放射エネルギー照射と同時に生成される中性子照射をあびるとともに、燃料が活性化されて燃焼効率を向上させるようにしたものにあっては、燃料中の炭化水素に対するα線、β線、γ線照射により分解反応、架橋反応が促進される。上述した活性酸素は燃料を完全燃焼させるので、排気ガス中の有害物質は減少し、低コストで排気ガスの浄化が図れる。
【００３４】
本発明による発電システムによると、設置スペースが小さくてよく、化石燃料を完全燃焼させることによる燃焼効率の向上を図ることのできる環境対策に優れたシステムを実現できる。
【図面の簡単な説明】
【図１】本発明に係る発電システムの構成を示すブロック図。
【図２】給気活性化装置の構造を示す概略図。
【図３】燃料活性化装置の構造を示す概略図。
【図４】排気ガス浄化装置の構造を示す概略図。
【図５】給水の活性化装置の構造を示す概略図。
【図６】中性子エネルギー照射装置の構造を示す概略図。
【符号の説明】
１　給気ファン
２　給気活性化装置
３　中性子エネルギー照射装置
４　燃料ポンプ
５　燃料活性化装置
６　排気ファン
７　排気ガス浄化装置
８　給水ポンプ
９　給水活性化装置
１０　ボイラ燃焼室
１１　蒸気室
１３　蒸気タービン
１４　発電機
１５　主軸
２０，２０Ａ〜２０Ｇ　セラミック・ボール
２１　棚
２５　ハウジング
２６　曝気装置
【図１】
2004003830.tif 000012
【図２】
2004003830.tif 000013
【図３】
2004003830.tif 000014
【図４】
2004003830.tif 000015
【図５】
2004003830.tif 000016
【図６】
2004003830.tif 000017